(57)【要約】【課題】内容物充填時の耐熱及び耐圧性が優れ、常温での長期保管・流通における内容物保護性が良好で、開封が容易なハイバリヤ性プルリング付口栓を提供する。【解決手段】スパウト１００  が、下端外周面にフランジを周設する環状台座部に注出筒１２０  を立設し、注出筒の内側下方を封鎖板１３０  で封止し、封鎖板の予定開口位置に上面から断面形状がＶ字状の切込みを設けて下面に環状薄肉脆弱線１３２  を形成し、封鎖板の少なくとも全面の下面に、最上層と最下層にポリエチレン層３１０，３３０  を有し、中間層にバリヤ性蒸着ポリエチレンテレフタレートフィルム層３２０  を有し、ポリエチレンテレフタレート蒸着基材フィルム３２１  の封鎖板に設けた環状薄肉脆弱線と対応する位置を切断したハイバリヤ性積層フィルム３００  をインサート射出成形法により熱融着する。【選択図】図１
2004345714.tif 000002
【特許請求の範囲】
【請求項１】
スパウトにキャップが螺着するプルリング付口栓において、前記スパウトが、下端外周面にフランジを周設する環状台座部に注出筒を立設し、該注出筒の内側下方を封鎖板で封止し、該封鎖板の予定開口位置に上面から垂直断面形状がＶ字状の切込みを設けて下面に環状薄肉脆弱線を形成し、前記封鎖板の少なくとも全面の下面に、最上層と最下層にポリエチレン層を有し、中間層にバリヤ性蒸着ポリエチレンテレフタレートフィルム層を有し、かつ前記バリヤ性蒸着ポリエチレンテレフタレートフィルム層のポリエチレンテレフタレート蒸着基材フィルムの前記封鎖板に設けた環状薄肉脆弱線と対応する位置を切断したハイバリヤ性積層フィルムをインサート射出成形法により熱融着したことを特徴とするハイバリヤ性プルリング付口栓。
【請求項２】
前記ハイバリヤ性積層フィルムが、インサート射出成形前に前もって積層フィルムの状態で、前記バリヤ性蒸着ポリエチレンテレフタレートフィルム層のポリエチレンテレフタレート蒸着基材フィルムの前記封鎖板に設ける環状薄肉脆弱線と対応する位置を、レーザーカット加工法により選択的に切断したことを特徴とする請求項１記載のハイバリヤ性プルリング付口栓。
【請求項３】
前記ハイバリヤ性積層フィルムを、インサート射出成形後に、前記スパウトに熱融着した積層フィルムの状態で、前記バリヤ性蒸着ポリエチレンテレフタレートフィルム層のポリエチレンテレフタレート蒸着基材フィルムの前記封鎖板に設けた環状薄肉脆弱線と対応する位置を、レーザーカット加工法により選択的に切断したことを特徴とする請求項１記載のハイバリヤ性プルリング付口栓。
【発明の詳細な説明】
【０００１】
【発明の属する技術分野】
本発明は、液体紙容器の注出位置に突設するスパウトとこのスパウトに螺着するキャップとからなり、プルリングでスパウトを開口し、高温充填が可能で内容物の保護性が良好なハイバリヤ性プルリング付口栓に関するものである。
【０００２】
【従来の技術】
従来、飲料、酒類、調味料などの内容物に使用される液体用紙容器（２０）は、例えば図２に示すように、胴部（２１）が四角筒状で、使用時の使い易さを考慮して、切り妻屋根形の頂部の傾斜板（２２）にスパウト（１００）とキャップ（２００）とならなる口栓（１０）が突設されていた。この口栓は、流通時の密封性の完全さ、バージン性の確保又は使用時の易開封性を兼ね備えるために、例えば図３に示すように、通常、スパウト（１００）の注出筒（１２０）の内側の下端又は下方に封鎖板（１３０）を設けて封止し、使用時に開口するため、この封鎖板の開口予定位置の下面に垂直断面形状が逆Ｖ字状の環状切込み（１３１）を設けて上面に環状薄肉脆弱線（１３２）を形成し、この環状薄肉脆弱線の内側隣接の封鎖板の所定位置に、先端にプルリング（１４０）をもつ支柱（１３０）を立設していた。容器開封時には、キャップをスパウトから螺脱し、スパウトの注出筒に内側に収容されているプルリングに指先を掛けて上方へ引っ張って封鎖板の環状薄肉脆弱線を破断して開口していた。なお、開口したスパウトは、使用したのちに、キャップを螺着して再封止していた。
【０００３】
【発明が解決しようとする課題】
しかしながら、上述の従来の口栓のスパウトは、上述したように、スパウトを開封するときに、注出筒を封止している封鎖板の環状薄肉脆弱線をプルリングにより引っ張って破断して開口するものであり、材質としては、通常、環状薄肉脆弱線の破断適性をもつ低密度ポリエチレンが使用されていた。このため、例えば、内容物を高温充填したときに、スパウトの耐熱及び耐圧性が不足し密封性に問題を生じたり、または、スパウトのガスバリヤ性が不足して、内容物が酸化して変質したたり、内容物の風味や香りが変化するなど内容物の保護性に問題を生じることなどがあった。
【０００４】
本発明は、上述の従来の口栓の問題を解決するものであり、内容物充填時の耐熱及び耐圧性が優れ、常温での長期保管・流通における内容物の保護性が良好で、かつ、開封が容易なハイバリヤ性プルリング付口栓を提供するものである。
【０００５】
【課題を解決するための手段】
すなわち、本発明の第１の発明は、スパウトにキャップが螺着するプルリング付口栓において、前記スパウトが、下端外周面にフランジを周設する環状台座部に注出筒を立設し、この注出筒の内側下方を封鎖板で封止し、この封鎖板の予定開口位置に上面から垂直断面形状がＶ字状の切込みを設けて下面に環状薄肉脆弱線を形成し、前記封鎖板の少なくとも全面の下面に、最上層と最下層にポリエチレン層を有し、中間層にバリヤ性蒸着ポリエチレンテレフタレートフィルム層を有し、かつ前記バリヤ性蒸着ポリエチレンテレフタレートフィルム層のポリエチレンテレフタレート蒸着基材フィルムの前記封鎖板に設けた環状薄肉脆弱線と対応する位置を切断したハイバリヤ性積層フィルムをインサート射出成形法により熱融着したことを特徴とするハイバリヤ性プルリング付口栓である。
【０００６】
次に、本発明の第２の発明は、前記ハイバリヤ性積層フィルムが、インサート射出成形前に前もって積層フィルムの状態で、前記バリヤ性蒸着ポリエチレンテレフタレートフィルム層のポリエチレンテレフタレート蒸着基材フィルムの前記封鎖板に設ける環状薄肉脆弱線と対応する位置を、レーザーカット加工法により選択的に切断したことを特徴とする第１の発明に記載のハイバリヤ性プルリング付口栓である。
【０００７】
そして、本発明の第３の発明は、前記ハイバリヤ性積層フィルムを、インサート射出成形後に、前記スパウトに熱融着した積層フィルムの状態で、前記バリヤ性蒸着ポリエチレンテレフタレートフィルム層のポリエチレンテレフタレート蒸着基材フィルムの前記封鎖板に設けた環状薄肉脆弱線と対応する位置を、レーザーカット加工法により選択的に切断したことを特徴とする請求項１記載のハイバリヤ性プルリング付口栓である。
【０００８】
【発明の実施の形態】
次に本発明のハイバリヤ性プルリング付口栓の実施の形態について、図を用いて詳細に説明する。
図１（ａ）は、ハイバリヤ性プルリング付口栓の一実施形態のスパウトの断面図であり、図１（ｂ）は、そのハイバリヤ性積層フィルムの一実施形態の構成を示す説明図であり、図１（ｃ）は、他のハイバリヤ性積層フィルムの一実施形態の構成を示す説明図である。図２は、一例の口栓付液体用紙容器の斜視図である。
【０００９】
一実施形態のハイバリヤ性プルリング付口栓の構成は、図２に示すように、液体用紙容器の切り妻屋根形の頂部の傾斜板（２２）の口栓取付孔に突設するスパウト（１００）とこのスパウトに螺着するキャップ（２００）とからなり、スパウト（２００）の構造は、図１（ａ）に示すように、下端外周面にフランジ（１４０）を周設する環状台座部（１１０）に注出筒（１２０）を立設し、この注出筒の内側下端を封鎖板（１３０）で封止し、この封鎖板の予定開口位置に上面から垂直断面形状がＶ字状の切込み（１３１）を設けて下面に環状薄肉脆弱線（１３２）を形成し、封鎖板の少なくとも全面の下面に、図１（ｂ）に示す最上層（封鎖板側）と最下層（内容物側）にポリエチレン層（３１０と３３０）を有し、中間層にバリヤ性蒸着ポリエチレンテレフタレートフィルム層（３２０）を有し、このバリヤ性蒸着ポリエチレンテレフタレートフィルム層のポリエチレンテレフタレート蒸着基材フィルム（３２１）の封鎖板に設けた環状薄肉脆弱線と対応する位置を切断したハイバリヤ性積層フィルム（３００）をインサート射出成形法により熱融着するものである。なお、必要に応じては、図１（ｃ）に示すように、バリヤ性蒸着ポリエチレンテレフタレートフィルム層（３２０）の蒸着層（３２２）の反対側のポリエチレンテレフタレート蒸着基材フィルム（３２１）面に印刷層（３２３）を設けてもよい。また、蒸着層（３２２）としては、酸化ケイ素蒸着層やアルミナ蒸着層などである。スパウトは、通常、環状薄肉脆弱線の破断適性をもつ低密度ポリエチレンなどを用いて射出成形法により作製されるものである。ゲート位置（Ｇ）は、図１（ａ）に示すように、封鎖板（１３０）の上面のほぼ中央位置である。キャップは、通常、適度な剛性をもつポリプロピレンやポリエチレンなどを用いて射出成形法により作製されるものである。
【００１０】
また、ハイバリヤ性積層フィルムのポリエチレンテレフタレート蒸着基材フィルムの封鎖板に設けた環状薄肉脆弱線と対応する位置を切断する方法は、インサート射出成形前に、前もって、積層フィルムの状態で、バリヤ性蒸着ポリエチレンテレフタレートフィルム層のポリエチレンテレフタレート蒸着基材フィルムの封鎖板に設ける環状薄肉脆弱線と対応する位置を、レーザーカット加工法により選択的に切断するか、または、インサート射出成形後に、スパウトに熱融着した積層フィルムの状態で、バリヤ性蒸着ポリエチレンテレフタレートフィルム層のポリエチレンテレフタレート蒸着基材フィルムの封鎖板に設けた環状薄肉脆弱線と対応する位置を、レーザーカット加工法により選択的に切断するものである。
【００１１】
本発明のハイバリヤ性プルリング付口栓は、スパウトの注出筒の内側に設けた封鎖板の下面の少なくとも全面に、中間層にバリヤ性蒸着ポリエチレンテレフタレートフィルム層を有するハイバリヤ性積層フィルムが熱融着しているため、内容物充填時の耐熱及び耐圧性が優れ、常温での長期保管・流通における内容物の保護性が良好である。また、開封するときは、ハイバリヤ性積層フィルムのポリエチレンテレフタレート蒸着基材フィルムの封鎖板に設けた環状薄肉脆弱線と対応する位置が切断されているため、プルリングで容易にスパウトの封鎖板に設けられた環状薄肉脆弱線を破断して開口することができる。
【００１２】
なお、本発明のハイバリヤ性プルリング付口栓（１０）の液体用紙容器（２０）への取り付けは、図１（ａ）及び図２に示すように、容器の頂部の傾斜板（２２）の口栓取付孔（２３）に、まず、キャップを螺着するスパウト（１００）の注出筒（１２０）を突出させて、環状台座部（１１０）の上端外周面に設けられた仮止め突起（１１１）（通常、４個）に引っかけて仮止めし、次に、容器の口栓取付孔に外周縁部面に、超音波シール装置のホーンを圧着して、フランジ（１４０）と容器の内面とを熱融着するものである。
【００１３】
【発明の効果】
本発明のハイバリヤ性プルリング付口栓は、キャップとスパウトからなり、液体用紙容器の注出位置に突設される使用するが、耐熱、耐圧性、ガスバリヤ性に優れているため、内容物の高温充填に耐え、常温での長期保管・流通における内容物の保護性が良好で、そのうえ、容器を開封するときに、プルリングで容易にスパウトを開口することができる。
【図面の簡単な説明】
【図１】（ａ）は、本発明のハイバリヤ性プルリング付口栓のスパウトの一実施形態の断面図であり、（ｂ）は、そのハイバリヤ性積層フィルムの一実施形態の構成を示す説明図であり、（ｃ）は、他のハイバリヤ性積層フィルムの一実施形態の構成を示す説明図である。
【図２】一例の口栓付液体用紙容器の斜視図である。
【図３】従来の一例の口栓のプルリング付スパウトの断面図である。
【符号の説明】
１０……口栓
２０……液体用紙容器
２１……胴部
２２……傾斜板
２３……口栓取付孔
１００……スパウト
１１０……環状台座部
１１１……仮止め突起
１２０……注出筒
１２１……雄ネジ
１３０……封鎖板
１３１……環状切込み
１３２……環状薄肉脆弱線
１３３……支柱
１３４……プルリング
１４０……フランジ
２００……キャップ
３００……ハイバリヤ性積層フィルム
３１０，３３０……ポリエチレン層
３２０……蒸着ポリエチレンテレフタレートフィルム層
３２１……蒸着基材ポリエチレンテレフタレートフィルム層
３２２……蒸着層
３２３……印刷層
Ｇ……ゲート位置
【図１】
2004345714.tif 000003
【図２】
2004345714.tif 000004
【図３】
2004345714.tif 000005